(57)【要約】      （修正有）【課題】ベッド、デスクトップ折畳み式収納構造において、収納時の厚さを薄くする。【解決手段】外枠一１０、外枠二２０、脚フレーム一３０、脚フレーム二４０、脚フレーム延伸棒５０により構成され、該外枠一と該外枠二外表面は共に平坦な長方形状で、裏面側に凹部を形成し、該脚フレーム一、該脚フレーム二、該脚フレーム延伸棒を装置し、折り畳んで収納する。該外枠一と該外枠二の間はちょうつがいにより接続した回転関節として展開可能なデスクトップを形成し、該脚フレーム一と該脚フレーム二は共に「コ」字状として、それぞれ該外枠一と該外枠二裏面側に回転して折り畳み可能に装置し、該脚フレーム延伸棒は、展開した各脚フレームの直棒に接続して高さを調節する。【選択図】図３
0003146435.tif 000002
【実用新案登録請求の範囲】
【請求項１】
ベッド、デスクトップ折畳み式収納構造であって、
外枠一、外枠二、脚フレーム一、脚フレーム二、脚フレーム延伸棒により構成し、
該外枠一と該外枠二外表面は、平坦な長方形状を呈し、それらの裏面側は陥没した凹部状を呈して、該脚フレーム一、該脚フレーム二、該脚フレーム延伸棒を装置して収納することができ、
該外枠一と該外枠二の間はちょうつがいにより接続した回転関節を備えて開閉可能な保護外殼を形成し、
該脚フレーム一と該脚フレーム二は、「コ」字状を呈して、それぞれ該外枠一と該外枠二裏面側に装置して、回転収納或いは展開が可能とし、
該脚フレーム延伸棒は、該脚フレーム一及び該脚フレーム二の展開時に継ぎ足して装置してデスクトップ高さを調節可能としたことを特徴とする、
ベッド、デスクトップ折畳み式収納構造。
【請求項２】
前記外枠一裏面凹部の周縁一は該外表面辺縁と一致し、該外枠二裏面凹部の周縁二は外表面辺縁から内側に若干引っ込んで設けられたことを特徴とする、請求項１記載のベッド、デスクトップ折畳み式収納構造。
【請求項３】
前記各脚フレームはそれぞれ外枠面に平行な底棒とその両端から直角に延長されて支持脚となる直棒から構成され、
外枠一の脚フレーム一の底棒一の長さは外枠二の脚フレーム二のの底棒二の長さより短く、該脚フレーム一の直棒一の長さは該脚フレーム二の直棒二の長さと同じであることを特徴とする、請求項１記載のベッド、デスクトップ折畳み式収納構造。
【請求項４】
前記脚フレーム一と脚フレーム二はそれぞれ二本の脚棒により構成し、かつ該外枠一内の脚棒と該外枠二内の脚棒の設置位置は相互に非対称として、折畳み収納時には、相互に互い違いとなり、重ならないようにしたことを特徴とする、請求項１記載のベッド、デスクトップ折畳み式収納構造。
【請求項５】
前記外枠一と外枠二を同じサイズであって、かつ形状は相互に対称な構造とすると共にそれぞれの厚さを折りたたみ時の全体の厚さの半分としたことを特徴とする、請求項１記載のベッド、デスクトップ折畳み式収納構造。
【考案の詳細な説明】
【技術分野】
【０００１】
本考案は、ベッド、デスクトップ折畳み式収納構造に関し、特に収納時に、外枠二は外枠一内に収まり、脚フレーム一は脚フレーム二内側に収納され、これにより全体構造の収納後にも外枠一個の厚みを保持することができるベッド、デスクトップ折畳み式収納構造に関するものである。
【背景技術】
【０００２】
図１、２に示すように、公知の折畳み収納構造において、該構造の収納を行う時には、公知構造の枠フレーム一01は公知構造の枠フレーム二02の上方に折畳み、重ね合わされる。
そのため、その収納原理は二個の枠フレーム構造を平坦に開いている状態から、積み重ねるだけであるため、実際に収納後の体積は縮減していない。
よって携帯或いは收容の利便性を向上しているとはいえない。
【０００３】
上記欠点を改善するため、本考案人は実願2008-000726：登録実用新案第3141197号(名称：ベッド、デスクトップ折畳み式収納構造)を開発した。
該「ベッド、デスクトップ折畳み式収納構造」は公知折畳み収納構造の欠点を解決することはできるが、その全体構造を完璧にすることはできない。
本考案は、従来のベッド、デスクトップ折畳み式収納構造の上記した欠点に鑑みてなされたものである。
【特許文献１】登録実用新案第3141197号公報
【考案の開示】
【考案が解決しようとする課題】
【０００４】
本考案が解決しようとする主要な課題は、ベッド、デスクトップ折畳み式収納構造を提供することである。
【課題を解決するための手段】
【０００５】
上記課題を解決するため、本考案は下記のベッド、デスクトップ折畳み式収納構造を提供する。
ベッド、デスクトップ折畳み式収納構造は、外枠一、外枠二、脚フレーム一、脚フレーム二、脚フレーム延伸棒により構成し、
該外枠一と外枠二外表面は、平坦な長方形状を呈し、裏面側は陥没した凹部を呈し、該外枠二裏面凹部の周縁二は外表面辺縁から内側に若干の間隔を置いて形成され、これにより該外枠二の周縁二は収納時に該外枠一の周縁より内側に収まり、該脚フレーム一の底棒一の長さは該脚フレーム二の底棒二の長さより短いことにより、同じくその内側に収まる。
【考案の効果】
【０００６】
本考案の外枠二裏面凹部の周縁二は外表面辺縁から内側に位置して設けられ、脚フレーム一の底棒一の長さは該脚フレーム二の底棒二の長さより短く、このため脚フレーム一の面積は脚フレーム二より小さい。よって収納時には、外枠二はスムーズに外枠一内側に収まって重なり、脚フレーム一は脚フレーム二内側に収納され、こうして全体構造の収納後にも外枠一個の厚みを保持することができる。本考案の収納後には、外枠一個の厚みのみを有し、よって効果的に体積を縮小後は、便利に携帯し戸外で使用可能で、また収蔵空間を節減することができる。
【考案を実施するための最良の形態】
【０００７】
以下に図面を参照しながら本考案を実施するための最良の形態について詳細に説明する。
図３、４、５、６、７、８、９、１０に示すように、本考案ベッド、デスクトップ折畳み式収納構造は、外枠一10、外枠二20、脚フレーム一30、脚フレーム二40、脚フレーム延伸棒50により構成する。
【０００８】
該外枠一10と該外枠二20外表面は平坦な長方形状を呈すると共に裏面側は陥没した凹部を呈し、該脚フレーム一30、該脚フレーム二40、該脚フレーム延伸棒50を装置して収納することができる。
該外枠一10裏面側凹部の周縁一11は、該外表面辺縁と対合し、該外枠二20裏面凹部の周縁二21は外表面辺縁から若干内側に配置される。該外枠一10と該外枠二20の間はちょうつがいにより接続した回転関節を備え、開閉可能な保護外殼を形成する。
【０００９】
図３に示すように、脚フレーム一30と脚フレーム二40の外観は、「コ」字状を呈し、該脚フレーム一30は直棒一31、底棒一32からなり、該外枠一10に装置する。
該脚フレーム二40は直棒二41、底棒二42からなり、該外枠二20内に装置し、かつ該脚フレーム一30と該脚フレーム二40はそれぞれ該外枠一10、該外枠二20の裏面凹部内に回転して収納され、また、外枠一10、外枠二20外に向けて回転展開する。
該脚フレーム一30の底棒一32は該脚フレーム二40の底棒二42より短く、該脚フレーム一30の直棒一31の長さは該脚フレーム二40の直棒二41と同じである。
【００１０】
図３、４、５に示すように、全体構造の折畳み収納時には、該外枠二20裏面凹部の周縁二21は外表面辺縁から若干内側に間隔を有するため、該外枠二20の周縁二21は収納時に外枠一10の周縁一11の内側に入る。
したがって、該外枠二20は該外枠一10の内側に収まり、かつ該外枠二20内の脚フレーム二40と該外枠一10内の脚フレーム一30は、該底棒一32の長さが該底棒二42の長さより短いため、脚フレーム一３０が脚フレーム二４０の内側に収まり、収納に便利である（図5参照。）。
【００１１】
図６に示すように、全体構造の展開時には、該外枠一10と該外枠二20の平坦な外表面は、相互に平行になり、デスクトップを形成するまで外方へと展開する。
次に、該脚フレーム一30と該脚フレーム二40をそれぞれ該外枠一10と該外枠二20裏面側から下方へと降ろして展開動作を完成する。
【００１２】
図６に示すように、該脚フレーム延伸棒50は該脚フレーム一30の直棒31下方と該脚フレーム二40の直棒二41下方に装置し、こうしてデスクトップの高さを上げることができる。
【００１３】
図７、８に示すように、本考案第二実施例の脚フレーム一30と脚フレーム二40もまた、それぞれ二本の脚棒70で置換することができる。
また、該外枠一10内の脚棒60と該外枠二20内の脚棒60の設置位置は、相互に非対称として折畳み収納時には相互に互い違いとなり、重なることはない。
【００１４】
図９、１０に示すように、本考案第三実施例の外枠三70と外枠四80は同一のサイズで、しかも形状は相互に対称な構造であるが、その厚さは上記実施例の外枠一10と外枠二20の厚みの半分である。
脚フレーム一30と脚フレーム二40は上記実施例の構造を保持するため、折畳み収納時には、外枠三70と外枠四80は上下に重なるが、全体の厚さは変わらない。
【図面の簡単な説明】
【００１５】
【図１】公知構造の展開図である。
【図２】公知構造の収納図である。
【図３】本考案の立体図である。
【図４】本考案の収納モデル図である。
【図５】本考案の脚フレーム收納モデル図である。
【図６】本考案の展開モデル図である。
【図７】本考案の第二実施例モデル図である。
【図８】本考案の第二実施例脚棒收納モデル図である。
【図９】本考案の第三実施例モデル図である。
【図１０】本考案の第三実施例収納モデル図である。
【符号の説明】
【００１６】
01  公知構造の枠フレーム一
02  公知構造の枠フレーム二
10  外枠一
11  周縁一
20  外枠二
21  周縁二
30  脚フレーム一
31  直棒一
32  底棒一
40  脚フレーム二
41  直棒二
42  底棒二
50  脚フレーム延伸棒
60  脚棒
70  外枠三
80  外枠四
【図１】
0003146435.tif 000003
【図２】
0003146435.tif 000004
【図３】
0003146435.tif 000005
【図４】
0003146435.tif 000006
【図５】
0003146435.tif 000007
【図６】
0003146435.tif 000008
【図７】
0003146435.tif 000009
【図８】
0003146435.tif 000010
【図９】
0003146435.tif 000011
【図１０】
0003146435.tif 000012